(57)【要約】【課題】表示に係る消費電力を低減させるだけではなく、少ない演算処理で表示画像の色の再割当を行うことができる電子機器を提供する。【解決手段】電子機器は、少なくとも一の画像を表示し、表示する色毎に消費電力が異なる表示部１６と、表示部に表示された画像の色毎の使用量を画像別に取得する取得部（１３１，１３３）と、画像の色と、当該色の消費電力との関係を示す特性テーブルを記憶する記憶部１４と、取得部によって取得された画像の色を、使用量が大きい色から順に特性テーブルに基づいて消費電力の小さい色へ順次置き換え、表示部に当該画像を表示させる制御部（１３４，１３５）とを有する。【選択図】図５
2010107784.tif 000002
【特許請求の範囲】
【請求項１】
少なくとも一の画像を表示し、表示する色毎に消費電力が異なる表示部と、
前記表示部に表示された画像の色毎の使用量を画像別に取得する取得部と、
画像の色と、当該色の消費電力との関係を示す特性テーブルを記憶する記憶部と、
前記取得部によって取得された画像の色を、使用量が大きい色から順に前記特性テーブルに基づいて消費電力の小さい色へ順次置き換え、前記表示部に当該画像を表示させる制御部と
を有する電子機器。
【請求項２】
前記画像は、自機の所定の機能の動作状態を示す画像を含む
請求項１記載の電子機器。
【請求項３】
前記表示部は、複数の画像を表示し、
前記取得部は、前記表示部の表示の更新時に、前記画像別に前記使用状況を取得し、
前記制御部は、
前記表示すべき画像の色の割当てを行う指示を受けた場合に、前記使用状況の変化の大きい画像の順に前記表示部の消費電力の低い色を割り当てる
請求項２記載の電子機器。
【請求項４】
前記各画像の色別の使用量と前記各画像の使用状況とに基づいて、全ての前記画像が占める色の使用量を色別に算出する算出部を有し、
前記取得部は、
前記算出部による算出結果から前記使用状況の変化の大きい画像の順番を取得する
請求項３記載の電子機器。
【請求項５】
前記制御部は、
前記記憶部の前記特性テーブルが示す前記表示部の消費電力に関連付けられた色の順番と前記取得部による前記使用状況の変化の大きい画像の順番とから、割り当てるべき画像の色を決定する
請求項４記載の電子機器。
【請求項６】
前記画像の使用状況は、前記画像の使用時間を含み、
前記画像の使用時間を画像別に計時する計時部を有し、
前記算出部は、
前記画像が占める色別の使用量を算出する際に、前記色の使用量と前記計時部による前記画像の使用時間との積の画像毎の総和を色別に算出する
請求項５記載の電子機器。
【請求項７】
前記画像の使用状況は、前記画像の使用回数を含み、
前記画像の使用回数を画像別に計測する計測部を有し、
前記算出部は、
前記画像が占める色別の使用量を算出する際に、前記色の使用量と前記計時部による前記画像の使用時間との積の画像毎の総和を色別に算出する
請求項５記載の電子機器。
【請求項８】
前記各画像は、当該画像を構成する部分別に色を割り当て可能であり、
前記記憶部は、前記画像の部分別の配色を行うための配色データを記憶し、
前記制御部は、
前記記憶部の前記配色データを参照し、前記画像の部分別に色を割り当てる
請求項６または７記載の電子機器。 
【発明の詳細な説明】
【技術分野】
【０００１】
本発明は、表示色によって消費電力が異なる表示部を有する携帯端末等の電子機器に関するものである。
【背景技術】
【０００２】
液晶パネルや有機ＥＬパネルを搭載した携帯端末等の電子機器が広く市場に流通している。液晶パネルや有機ＥＬパネルは、表示色あるいは輝度に応じて表示に係る消費電力が異なる場合がある。
【０００３】
特に、携帯端末等は、バッテリにより電力が供給されるため、表示に係る消費電力を低減させることが必須である。そこで、携帯電話機の使用状況に応じて表示色を変更することで、表示に係る消費電力を低減させる表示装置を採用した携帯端末が提案されている。
【特許文献１】特開２００７−１１４５７９号公報
【発明の開示】
【発明が解決しようとする課題】
【０００４】
図１４に図示するように、特許文献１が開示する携帯端末１は、表示色別の消費電力特性に関する消費電力データ２と、各表示色が表示画像に占める使用量３とに基づき、表示色を再割当４することで、表示に係る消費電力を低減させている。なお、色の再割当とは、表示画像に対して使用量の多い色には、表示に係る消費電力が低い色を割り当て直すことをいう。
【０００５】
しかしながら、低消費電力モードや無操作状態等によって表示色を変更する場合には、表示に係る消費電力を低減させることが可能であるが、全ての表示画面において低消費電力化を図ることができるわけではない。
【０００６】
この他、表示画面の更新毎に、表示画面上の全てのピクセルを走査することにより、色の再割当が行われるが、特許文献１が開示する携帯端末１では、色の再割当に要する演算処理量が増大するという不利益がある。
【０００７】
本発明は、表示に係る消費電力を低減させるだけではなく、少ない演算処理で表示画像の色の再割当を行うことができる電子機器を提供することにある。
【課題を解決するための手段】
【０００８】
本発明の電子機器は、少なくとも一の画像を表示し、表示する色毎に消費電力が異なる表示部と、前記表示部に表示された画像の色毎の使用量を画像別に取得する取得部と、画像の色と、当該色の消費電力との関係を示す特性テーブルを記憶する記憶部と、前記取得部によって取得された画像の色を、使用量が大きい色から順に前記特性テーブルに基づいて消費電力の小さい色へ順次置き換え、前記表示部に当該画像を表示させる制御部とを有する。
【０００９】
好適には、前記画像は、自機の所定の機能の動作状態を示す画像を含む。
【００１０】
好適には、前記表示部は、複数の画像を表示し、前記取得部は、前記表示部の表示の更新時に、前記画像別に前記使用状況を取得し、前記制御部は、前記表示すべき画像の色の割当てを行う指示を受けた場合に、前記使用状況の変化の大きい画像の順に前記表示部の消費電力の低い色を割り当てる。
【００１１】
好適には、前記各画像の色別の使用量と前記各画像の使用状況とに基づいて、全ての前記画像が占める色の使用量を色別に算出する算出部を有し、前記取得部は、前記算出部による算出結果から前記使用状況の変化の大きい画像の順番を取得する。
【００１２】
好適には、前記制御部は、前記記憶部の前記特性テーブルが示す前記表示部の消費電力に関連付けられた色の順番と前記取得部による前記使用状況の変化の大きい画像の順番とから、割り当てるべき画像の色を決定する。
【００１３】
好適には、前記画像の使用状況は、前記画像の使用時間を含み、前記画像の使用時間を画像別に計時する計時部を有し、前記算出部は、前記画像が占める色別の使用量を算出する際に、前記色の使用量と前記計時部による前記画像の使用時間との積の画像毎の総和を色別に算出する。
【００１４】
好適には、前記画像の使用状況は、前記画像の使用回数を含み、前記画像の使用回数を画像別に計測する計測部を有し、前記算出部は、前記画像が占める色別の使用量を算出する際に、前記色の使用量と前記計時部による前記画像の使用時間との積の画像毎の総和を色別に算出する。
【００１５】
好適には、前記各画像は、当該画像を構成する部分別に色を割り当て可能であり、前記記憶部は、前記画像の部分別の配色を行うための配色データを記憶し、前記制御部は、前記記憶部の前記配色データを参照し、前記画像の部分別に色を割り当てる。
【発明の効果】
【００１６】
本発明によれば、表示に係る消費電力を低減させるだけではなく、少ない演算処理で表示画像の色の再割当を行うことができる。
【発明を実施するための最良の形態】
【００１７】
以下、本発明の実施形態を図面に関連付けて説明する。
【００１８】
（第１実施形態）
図１は、本発明の第１実施形態に係る携帯端末の構成例を示す概略ブロック図である。
【００１９】
図１に図示する電子機器としての携帯端末１０は、アンテナ１１、通信部１２、制御部１３、記憶部１４、音声入出力部１５、スピーカ（ＳＰ）１５ａ、マイクロフォン（ＭＩＣ）１５ｂ、表示部１６、操作部１７、バッテリ１８、および充電回路１９を有する。
【００２０】
携帯端末１０は、本実施形態においては、携帯電話機である。携帯端末１０は、たとえばＰＨＳ（Personal Handy phone System）であってもよい。携帯端末１０は、音声通話を始めとする種々の機能を有する。これらの機能には、たとえば、電子メールに関する機能、ＷＥＢ（World Wide Web）サイトの閲覧機能、バッテリ１８の残量（バッテリ残量）を表示する機能、アンテナ１１の受信状態を表示する機能、現在時刻を表示する機能が含まれる。
【００２１】
この他、携帯端末１０は、本実施形態の特徴として、表示部１６に表示される表示パーツの配色を最適化することができる配色機能を有する。この配色機能により、表示に係る消費電力を最小にし、バッテリ１８の節電を行うことができる。なお、表示パーツ（本発明の画像）は、たとえば、文字、背景画像、タイトルバー、アイコン等を指す。
【００２２】
アンテナ１１は、本実施形態においては内蔵型アンテナである。アンテナ１１は、たとえばロッドアンテナであってもよい。アンテナ１１は、所定の周波数帯域における電磁波を基地局（不図示）に向けて送信、あるいは基地局から受信する。
【００２３】
通信部１２は、制御部１３が出力した送信信号を所定の変調方式に変調し、変調した送信信号を電波信号としてアンテナ１１を介して基地局に送信する。通信部１２は、アンテナ１１を介して基地局から受信した電波信号を変調方式に対応した復調を行い、復調した信号を受信信号として制御部１３に出力する。
【００２４】
制御部１３は、たとえばＣＰＵやＤＳＰ（Digital Signal Processor）等で構成されている。制御部１３は、操作部１７の操作に応じて、各種処理が適切な手順で実行されるように、携帯端末１０の全般の動作を制御する。
【００２５】
制御部１３が行う処理には、表示パーツの配色、バッテリ残量の検出、音声通話、電子メールやＷＥＢの閲覧を行うための処理等が含まれる。
【００２６】
制御部１３が行う制御には、通信部１２の通信制御、記憶部１４とのアクセス、表示部１６へのデータの表示、操作部１７の操作による文字の入力、音声入出力部１５における音声処理の制御等が含まれる。
【００２７】
記憶部１４は、たとえば不揮発性の記憶デバイス（フラッシュメモリ）やランダムアクセス可能な記憶デバイス（ＳＲＡＭ、ＤＲＡＭ）等で構成されている。
【００２８】
記憶部１４には、消費電力データ（本発明の特性テーブル）およびカラーパレット（本発明の配色データ）が記憶されている。消費電力データおよびカラーパレットは、配色機能の実行時に参照される。
【００２９】
この他、記憶部１４には、オペレーティングシステム、アプリケーションプログラム、制御部１３の出力結果、プログラムの処理過程で利用される一時的なデータ等が格納される。
【００３０】
音声入出力部１５は、制御部１３から供給されたデジタルの音声データをスピーカ１５ａを介して出力するため、デジタルの音声データに対して、デジタル・アナログ（Ｄ／Ａ）変換、増幅等の信号処理を施す。
【００３１】
音声入出力部１５は、マイクロフォン１５ｂから入力されたアナログの音声信号をデジタルの音声データに変換して制御部１３に出力するため、アナログの音声信号に対して、増幅、アナログ・デジタル（Ａ／Ｄ）変換、符号化等の処理を施す。
【００３２】
表示部１６は、たとえば、液晶パネルで構成されている。表示部１６を、たとえば、有機ＥＬ（Electro-Luminescence）パネルで構成することもできる。表示部１６は、制御部１３から供給された映像信号に応じた種々の情報を表示する。
【００３３】
操作部１７は、たとえば電源キー、通話キー、数字キー、文字キー、方向キー、決定キー、発信キーなど各種機能が割り当てられた複数のキーを有する。操作部１７は、これらのキーがユーザによって操作された場合、その操作内容に対応する信号を発生し、これをユーザの指示として制御部１３に出力する。
【００３４】
バッテリ１８は、たとえば、リチウムイオン電池で構成された充電電池である。バッテリ１８は、充電時には充電回路１９から電力が供給されて充電される。バッテリ１８は、携帯端末１０を構成する制御部１３等の電子部品に電力を供給する。
【００３５】
充電回路１９は、充電が開始された場合、外部電源から供給された電力を携帯端末１０の駆動に必要な電力に変換し、この電力をバッテリ１８に供給する。
【００３６】
携帯端末１０の配色機能では、表示部１６の表示色を表示に係る消費電力が最小となるように、色の再割当が行われる。液晶パネルで表示部１６を構成した場合の表示に係る消費電力と色との関係について説明する。
【００３７】
図２は、本発明の第１実施形態に係る表示部を液晶パネルで構成した場合における表示部の構造例を示す模式断面図である。図２には、透過型のＴＦＴ（thin film transistor）液晶パネルが例示されている。
【００３８】
図２に図示するように、ガラス基板１６１の一面には、透明電極１６２が取り付けられ、他面には、偏光板（偏光フィルタ）１６３が取り付けられている。もう一枚のガラス基板１６４の一面には、カラーフィルタ１６５を挟むように透明電極１６６が取り付けられ、他面には、偏光板１６７が取り付けられている。これら２枚のガラス基板１６１，１６４は、透明電極１６２，１６６が向き合うように、互いに対向して配置されている。そして、２枚のガラス基板１６１，１６４の間には、液晶１６８が封入されている。
【００３９】
２つの透明電極１６２，１６６に電圧を印加すると、液晶１６８の分子が、透明電極１６２，１６６間に発生した電界の向きに従って配列される。液晶１６８自体が発光しないため、一方の偏光板１６３側に、バックライト１６９が取り付けられている。バックライト１６９の放つ光を偏光板１６３，１６７にて透過あるいは遮断させることにより、所望する画像を表示することができる。
【００４０】
バックライト１６９の光源色は、白色であることが多い。このため、カラー画像を表示するためのカラーフィルタ１６５が、たとえば、ガラス基板１６４と透明電極１６６との間に挿入されている。透明電極１６２，１６６は、複数のピクセル（画素）ＰＩＸを構成するように、複数の透明電極によってマトリクス状に構成されている。カラーフィルタは、このピクセルＰＩＸに対応して、Ｒ（赤）、Ｇ（緑）、Ｂ（青）の光を透過させる。
【００４１】
液晶パネルでは、所望する領域の透明電極１６２，１６６に次のように電圧を印加することで、カラー画像が表示される。たとえば、白色を表示する場合には、加法混色法により、Ｒ、Ｇ、Ｂのカラーフィルタ１６５に対応したピクセルＰＩＸの透明電極１６２，１６６に電圧が印加される。
【００４２】
黄色を表示する場合には、ＲおよびＧのカラーフィルタ１６５に対応したピクセルＰＩＸの透明電極１６２，１６６に電圧が印加される。赤色を表示する場合には、Ｒのカラーフィルタ１６５に対応したピクセルＰＩＸの透明電極１６２，１６６のみに電圧が印加される。黒色を表示する場合には、透明電極１６２，１６６には電圧が印加されない。
【００４３】
このように、特定のピクセルＰＩＸに対応した透明電極１６２，１６６に電圧を印加することで、解像度に応じた色を表示することができる。たとえば、白色を表示する場合、Ｒ，Ｇ，Ｂに対応したピクセルＰＩＸの透明電極１６２，１６６に電圧を印加するため、表示部１６の消費電力は最大となる。逆に、黒色を表示する場合には、透明電極１６２，１６６に電圧を印加しないため、表示部１６の消費電力は最小となる。
【００４４】
無論、バックライト１６９による発光の強弱を調整することにより、輝度を調整することができる。この場合、輝度が高い程、表示部１６の消費電力は増大する。
【００４５】
筐体の薄型化や更なる低消費電力化のため、表示部１６を有機ＥＬパネルで構成することもできる。この場合の表示部１６ａの消費電力と色との関係について、図３を参照しながら説明する。
【００４６】
図３は、本発明の第１実施形態に係る表示部を有機ＥＬパネルで構成した場合における表示部の構造例を示す模式断面図である。図３には、ＴＦＴや電子輸送層等の図示が省略されている。
【００４７】
図３に図示する表示部１６ａでは、発光層（有機層）１６１０を挟み込むように、２枚のガラス基板１６１，１６４が、互いに対向して配置されている。ガラス基板１６１の一面と発光層１６１０との間には、負極の透明電極１６２が取り付けられている。もう一枚のガラス基板１６４の一面と発光層１６１０との間にも、正極の透明電極１６６が取り付けられている。
【００４８】
発光層１６１０は、透明電極１６２、１６６間に順バイアス電圧が印加されることによって自発的に発光する。このとき、ピクセルＰＩＸに対応して、Ｒ，Ｇ，Ｂの３色が独立して自発光する。有機ＥＬパネルは、液晶パネルよりも低電圧で動作するため、消費電力が液晶パネルのものよりも低いが、その消費電力は、表示させる色ごとに異なる。液晶パネルの場合と同様に、表示部１６の消費電力は、白色を表示する場合が最も高く、黒色を表示する場合に消費電力が最も低い。
【００４９】
携帯端末１０の配色機能によれば、表示色を再割当することにより、上述した表示に係る消費電力を低減することができる。以下、本発明の特徴である配色機能について説明する。
【００５０】
図４は、本発明の第１実施形態に係る表示部の表示画像の例を示す模式図である。
【００５１】
図４に図示するように、表示部１６の表示領域ＡＲＥには、複数の表示パーツ（本発明の画像）Ｐ１〜Ｐ５が表示されている。
【００５２】
表示パーツＰ１は、たとえば、数字や記号等を含む文字、待ち受け画面、写真等の画像が表示されるメインの表示領域である。表示パーツＰ２は、バッテリ残量を示すものである。表示パーツＰ３は、アンテナ１１による電波の受信状態を示すものである。表示パーツＰ４は、現在時刻を示すものである。表示パーツＰ５は、たとえば、「切り替え」、「確定」、「メニュー」等のアプリケーションに対応したソフトキーを示すものである。
【００５３】
表示領域ＡＲＥは、表示部１６を構成する液晶パネルの解像度に応じた、複数のピクセル（図２参照）で構成されている。したがって、各表示パーツＰ１〜Ｐ５も、複数のピクセルで構成されている。各表示パーツＰ１〜Ｐ５およびその背景には、所望する色を割り当てる（配色する）ことができる。たとえば、表示パーツＰ５の背景には白色を割当て、表示パーツＰ５内の文字には、黒色を割当てることができる。
【００５４】
このとき、各表示パーツの色の割当て（配色）は、表示部１６の消費電力が最小となるように、表示パーツＰ１〜Ｐ５別の使用状況に基づいて行われる。次に、このような色の割当を行う制御部１３について説明する。
【００５５】
図５は、本発明の第１実施形態に係る制御部の構成例を示すブロック図である。
以下、断りがない限り、図４に図示する表示パーツＰ１〜Ｐ５の内、任意の３つの表示パーツＡ，Ｂ，Ｃを例に挙げて説明する。
【００５６】
図５に図示するように、制御部１３は、第１の使用量取得部１３１、計測部１３２、第２の使用量取得部１３３、割当部１３４、および表示制御部１３５を有する。なお、第１の使用量取得部１３１および第２の使用量取得部１３３は、本発明の取得部に対応する。計測部１３２は、本発明の計時部に対応する。第２の使用量取得部１３３は、本発明の算出部に対応する。割当部１３４および表示制御部１３５は、本発明の制御部に対応する。
【００５７】
第１の使用量取得部１３１は、表示パーツＡ〜Ｃ別の色の使用量を取得する。具体例として、第１の使用量取得部１３１が表示パーツＡに対する色別の使用量を取得する場合について説明する。
【００５８】
画像生成部（不図示）によって生成された表示画像は、表示制御部１３５の制御によって、表示部１６の表示領域ＡＲＥに表示される。なお、この表示画像には、表示パーツＡ〜Ｃが含まれる。第１の使用量取得部１３１は、表示画像の内、表示パーツＡを構成する色の成分を取得する。
【００５９】
このとき、表示パーツＡは、白色、黄色、青色、赤色、紫色および黒色によって構成されているものとする。第１の使用量取得部１３１は、表示パーツＡがこれらの色によって構成されていることを取得すると、各色が何ピクセル使用しているかという、色の使用量を取得する。
【００６０】
このとき、表示パーツＡに関する色の使用量は、白色が８００ピクセル、黄色および青色が共に０ピクセル、赤色が４００ピクセル、紫色が３００ピクセル、および黒色が１００ピクセルであったものとする。
【００６１】
第１の使用量取得部１３１は、表示パーツＢおよびＣについても、表示パーツＡの場合と同様にして、色の使用量を取得する。
【００６２】
このとき、表示パーツＢに関する色の使用量は、白色が３００ピクセル、黄色が１００ピクセル、青色が５０ピクセル、赤色が２００ピクセル、紫色が０ピクセル、および黒色が２００ピクセルであったものとする。表示パーツＣに関する色の使用率は、白色および黄色が共に２００ピクセル、青色が０ピクセル、赤色が１５０ピクセル、紫色が３０ピクセル、および黒色が１００ピクセルであったものとする。
【００６３】
計測部１３２は、表示パーツＡ〜Ｃ別の使用状況として、表示パーツＡ〜Ｃ別の使用時間を計測する。これらの使用時間は、次のようにして取得される。表示画像は、たとえば、アプリケーションの起動時や起動後のアプリケーションの動作に応じて、表示パーツＡ〜Ｃ別あるいは全てが適宜更新される。
【００６４】
このため、計測部１３２は、画像生成部によって新たな表示画像が生成される度に、このときの時間を記憶部１４に記録する。これにより、計測部１３２は、前回の表示画像が生成された時間と新たに表示画像が生成された時間とから、更新の時間間隔、すなわち使用時間を計測することができる。
【００６５】
このとき、表示パーツＡの使用時間は３０分、表示パーツＢの使用時間は２０分、表示パーツＣの時間は１０分であったものとする。
【００６６】
第２の使用量取得部１３３は、第１の使用量取得部１３１による表示パーツＡ〜Ｃ別の色の使用量と、計測部１３２による表示パーツＡ〜Ｃ別の使用時間とから、表示パーツＡ〜Ｃの色別の総使用量を取得する。
【００６７】
具体例として、第２の使用量取得部１３３が、表示パーツＡ〜Ｃにおける白色の総使用量を取得する場合について説明する。上述したように、表示パーツＡの白色の使用量は８００ピクセルであり、その使用時間は３０分である。そして、表示パーツＢの白色の使用量は３００ピクセルであり、その使用時間は２０分である。表示パーツＣの白色の使用量は２００ピクセルであり、その使用時間は１０分である。
【００６８】
第２の使用量取得部１３３は、表示パーツＡにおける白色の使用量にその使用時間を乗じた値と、表示パーツＢにおける白色の使用量にその使用時間を乗じた値と、表示パーツＣにおける白色の使用量にその使用時間を乗じた値との総和を算出する。すなわち、白色の総使用量は、次式で与えられる。
【００６９】
（数１）
白色の総使用量＝（８００ピクセル×３０分）＋（３００ピクセル×２０分）＋（２００ピクセル×１０分）＝３２０００（ピクセル×分）  …（１）
【００７０】
第２の使用量取得部１３３は、（１）式のように、他の色についての総和も算出する。このとき、黄色の総使用量は４０００、青色の総使用量は１０００、赤色の総使用量は１７５００、紫色の総使用量は９３００，黒色の総使用量は８０００であったものとする。
【００７１】
一般化すれば、第２の使用量取得部１３３は、次式に基づいて、表示パーツ１〜ｎの色別の総使用量を算出する。ただし、ｎは、表示パーツ数（１，２，…）である。
【００７２】
（式２）
各色の総使用量＝（表示パーツ１内の当該色の使用量×表示パーツ１の使用時間）
＋（表示パーツ２内の当該色の使用量×表示パーツ２の使用時間）
＋（表示パーツ３内の当該色の使用量×表示パーツ３の使用時間）
…
＋（表示パーツｎ内の当該色の使用量×表示パーツｎの使用時間）  …（２）
【００７３】
割当部１３４は、第２の使用量取得部１３３による色別の総使用量と、記憶部１４から読み出した消費電力データＤＡＴ１とに基づいて、表示部１６の消費電力が最小となるように、表示パーツＡ〜Ｃに色を再割当てする。
【００７４】
ここで、記憶部１４に格納されている消費電力データＤＡＴ１について説明する。消費電力データＤＡＴ１には、表示部１６の消費電力に関する色別の消費電力特性が予め登録されている。各色は、消費電力に関連付けられた値が割当られている。上述したように、白色は、最も消費電力が高く、その相対値には、たとえば値７４が割当られている。続いて、黄色、青色、赤色、紫色、黒色の順に消費電力が低くなり、これらの相対値には、たとえば、値６９、６５、６５、６１，５９が各々割り当てられている。
【００７５】
割当部１３４は、表示パーツＡ〜Ｃに使用されている色を、総使用量が最も高い色から最も低い色の順にソートする。このとき、上述した第２の使用量取得部１３３の取得結果により、白色、赤色、紫色、黒色、黄色、青色の順に色がソートされたものとする。
【００７６】
そして、割当部１３４は、ソートされた各色に、消費電力の低い色を再割当する。このとき、少なくとも、割当部１３４は、最も総使用量の多い白色には、最も消費電力の低い黒色を割当てる。そして、割当部１３４は、割当後の配色設定を記憶部１４に記録する。
【００７７】
上述の例では、配色のバランスを考慮し、最も総使用量の高い色には、最も消費電力の低い色が割当てられ、他の色には、好適に色が割当られている。たとえば、赤色には黄色が割当られ、紫色には白色が割り当てられ、黒色には紫色が割当られ、黄色には赤色が割当られ、青色には再び青色が割り当てられる。無論、消費電力データＤＡＴ１の消費電力の色の順、すなわち、白色、黄色、青色、赤色、紫色、黒色の順に、白色、赤色、紫色、黒色、黄色、青色を各々割当てることもできる。
【００７８】
表示制御部１３５は、割当部１３４によって再割当てされた色の表示パーツＡ〜Ｃを表示部１６に表示する。
【００７９】
図５に図示する制御部１３の配色機能に関する動作について説明する。表示パーツＡ〜Ｃ別の使用時間は、表示画像の更新時に取得され（更新処理という）、表示パーツＡ〜Ｃの色の再割当は、ユーザの指示によって行われる（割当処理という）。以下、更新処理について説明した後、割当処理について説明する。
【００８０】
図６は、本発明の第１実施形態に係る制御部による更新処理の動作例を示すフローチャートである。
【００８１】
図６に図示するように、更新処理が開始される。ステップＳＴ１１において、計測部１３２が、表示パーツＡ〜Ｃ別の使用時間を計測中である場合（ＹＥＳ）、計測部１３２は、次の動作を行う。
【００８２】
計測部１３２は、画像生成部（不図示）によって新たな表示画像が生成されたときの時間を取得し（ステップＳＴ１２）、このときの時間を記憶部１４に記録する（ステップＳＴ１３）。
【００８３】
その後、画像生成部は、記憶部１４から表示画像の生成に必要な表示パーツＡ〜Ｃを読み出す（ステップＳＴ１４）。
【００８４】
再び、計測部１３２は、表示パーツＡ〜Ｃの使用時間の計測を開始する（ステップＳＴ１５）。そして、表示制御部１３５は、ステップＳＴ１４において画像生成部が生成した表示パーツＡ〜Ｃを表示部１６に出力する（ステップＳＴ１６）。
【００８５】
一方、ステップＳＴ１１において、計測部１３２が、表示パーツＡ〜Ｃ別の使用時間を計測中でない場合（ＮＯ）、ステップＳＴ１４の処理が実行される。そして、ステップＳＴ１６の処理の後、更新処理が終了する。
【００８６】
次に、割当処理について説明する。
図７は、本発明の第１実施形態に係る制御部による割当処理の動作例を示すフローチャートである。
【００８７】
図７に図示するように、制御部１３は、ユーザからの指示によって、操作部１７から割当処理を開始する旨の指示信号を受け取ると、割当処理を開始する。
【００８８】
割当処理が開始すると、計測部１３２は、記憶部１４から表示パーツＡ〜Ｃ毎の使用時間を読み出す（ステップＳＴ２１）。そして、第１の使用量取得部１３１は、表示パーツＡ〜Ｃ別の色の使用量を取得する（ステップＳＴ２２）。なお、これらの表示パーツＡ〜Ｃ毎の使用時間は、図６に図示するステップＳＴ１３の処理にて、記憶部１４に記録されたものである。
【００８９】
その後、割当部１３４は、記憶部１４から消費電力データＤＡＴ１を読み出す（ステップＳＴ２３）。そして、第２の使用量取得部１３３は、第１の使用量取得部１３１による表示パーツＡ〜Ｃ別の色の使用量（ステップＳＴ２２参照）と、計測部１３２による表示パーツＡ〜Ｃ別の使用時間（ステップＳＴ２１参照）とから、表示パーツＡ〜Ｃの色別の総使用量を取得する（ステップＳＴ２４）。
【００９０】
その後、割当部１３４は、第２の使用量取得部１３３による色別の総使用量（ステップＳＴ２４参照）と、記憶部１４から読み出した消費電力データＤＡＴ１（ステップＳＴ２３参照）とに基づいて、表示部１６の消費電力が最小となるように、表示パーツＡ〜Ｃに色を再割当てする（ステップＳＴ２５）。
【００９１】
このとき、割当部１３４は、表示パーツＡ〜Ｃに使用されている色を、総使用量が最も高い色から最も低い色の順にソートする。そして、割当部１３４は、総使用量の多い順にソートされた各色に、消費電力の低い色を再割当する。
【００９２】
表示制御部１３５は、割当部１３４によって再割当てされた色の表示パーツＡ〜Ｃを表示部１６に表示する（ステップＳＴ２６）。その後、割当部１３４は、割当後の配色設定を記憶部１４に記録する。ステップＳＴ２６の処理により、割当処理が終了する。
【００９３】
以上、詳細に説明したように、第１の使用量取得部１３１は、表示パーツＡ〜Ｃ別の色の使用量を取得し、計測部１３２は、表示パーツＡ〜Ｃの使用時間を計測する。第２の使用量取得部１３３は、第１の使用量取得部１３１による表示パーツＡ〜Ｃ別の色の使用量と、計測部１３２による表示パーツＡ〜Ｃ別の使用時間とから、表示パーツＡ〜Ｃの色別の総使用量を取得する。
【００９４】
そして、割当部１３４が、第２の使用量取得部１３３による色別の総使用量と、記憶部１４から読み出した消費電力データＤＡＴ１とに基づいて、表示パーツＡ〜Ｃに色を再割当てすることから、表示に係る消費電力を最小にすることができる。
【００９５】
特に、表示部１６に有機ＥＬパネルを採用した場合には、有機ＥＬパネルの焼き付きを防止することができる。更に、画面上のすべてのピクセルについて色の使用量を計算する必要がないため、制御部１３（ＣＰＵ）の負荷を軽減させ、少ない演算で色の割当を最適に行うことができる。
【００９６】
（第２実施形態）
第２実施形態について、先の実施形態と異なる点を中心に説明する。
図８は、本発明の第２実施形態に係る制御部の構成例を示すブロック図である。
【００９７】
図８に図示するように、制御部１３ａは、第１の使用量取得部１３１、計測部１３２ａ、第２の使用量取得部１３３ａ、割当部１３４、および表示制御部１３５を有する。
【００９８】
第１実施形態では、計測部１３２が表示パーツＡ〜Ｃ別の使用状況として、表示パーツＡ〜Ｃ別の使用時間を計測する。これに対し、第２実施形態では、計測部１３２ａが表示パーツＡ〜Ｃ別の使用状況として、表示パーツＡ〜Ｃ別の使用回数を計測する。
【００９９】
これに伴い、第２の使用量取得部１３３ａは、第１の使用量取得部１３１による表示パーツＡ〜Ｃ別の色の使用量と、計測部１３２ａによる表示パーツＡ〜Ｃ別の使用回数とから、表示パーツＡ〜Ｃの色別の総使用量を取得する。
【０１００】
具体例として、第２の使用量取得部１３３ａが、表示パーツＡ〜Ｃにおける白色の総使用量を取得する場合について説明する。たとえば、計測部１３２ａによって、表示パーツＡの白色の使用時間が３０分であり、表示パーツＢの白色の使用時間が２０分であり、表示パーツＣの白色の使用時間が１０分であったものとする。
【０１０１】
第２の使用量取得部１３３ａは、表示パーツＡにおける白色の使用量にその使用回数を乗じた値と、表示パーツＢにおける白色の使用量にその使用回数を乗じた値と、表示パーツＣにおける白色の使用量にその使用回数を乗じた値との総和を算出する。すなわち、白色の総使用量は、次式で与えられる。
【０１０２】
（数３）
白色の総使用量＝（８００ピクセル×３０回）＋（３００ピクセル×２０回）＋（２００ピクセル×１０回）＝３２０００（ピクセル×回）  …（３）
【０１０３】
第２の使用量取得部１３３ａは、（３）式のように、他の色についての総和も算出する。一般化すれば、第２の使用量取得部１３３ａは、次式に基づいて、表示パーツ１〜ｎの色別の総使用量を算出する。
【０１０４】
（式４）
各色の総使用量＝（表示パーツ１内の当該色の使用量×表示パーツ１の使用回数）
＋（表示パーツ２内の当該色の使用量×表示パーツ２の使用回数）
＋（表示パーツ３内の当該色の使用量×表示パーツ３の使用回数）
…
＋（表示パーツｎ内の当該色の使用量×表示パーツｎの使用回数）  …（４）
【０１０５】
図８に図示する制御部１３ａの配色機能に関する動作について説明する。第１実施形態と同様に、更新処理および割当処理が実行される。更新処理について説明した後、割当処理について説明する。
【０１０６】
図９は、本発明の第２実施形態に係る制御部による更新処理の動作例を示すフローチャートである。
【０１０７】
第２実施形態に係る更新処理が第１実施形態に係るものと異なる点は、図６に図示するステップＳＴ１１〜ＳＴ１３の処理を実行しないことにある。図９に図示するように、更新処理の開始後、画像生成部は、記憶部１４から表示画像の生成に必要な表示パーツＡ〜Ｃを読み出す（ステップＳＴ１４）。
【０１０８】
その後、計測部１３２は、表示パーツＡ〜Ｃの使用回数を計測した後、この使用回数を記憶部１４に記録する（ステップＳＴ１５ａ）。そして、表示制御部１３５は、ステップＳＴ１４において画像生成部が生成した表示パーツＡ〜Ｃを表示部１６に出力する（ステップＳＴ１６）。
【０１０９】
次に、割当処理について説明する。
図１０は、本発明の第２実施形態に係る制御部による割当処理の動作例を示すフローチャートである。
【０１１０】
第２実施形態に係る割当処理では、ステップＳＴ２１ａおよびステップＳＴ２４ａの処理が第１実施形態に係るものと異なる。図１０に図示するように、計測部１３２ａは、記憶部１４から表示パーツＡ〜Ｃ毎の使用回数を読み出す（ステップＳＴ２１ａ）。
【０１１１】
ステップＳＴ２３の処理後、第２の使用量取得部１３３ａは、第１の使用量取得部１３１による表示パーツＡ〜Ｃ別の色の使用量（ステップＳＴ２２参照）と、計測部１３２ａによる表示パーツＡ〜Ｃ別の使用回数（ステップＳＴ２１ａ参照）とから、表示パーツＡ〜Ｃの色別の総使用量を取得する（ステップＳＴ２４ａ）。
【０１１２】
以上、詳細に説明したように、第２実施形態においては、第２の使用量取得部１３３ａが、第１の使用量取得部１３１による表示パーツＡ〜Ｃ別の色の使用量と、計測部１３２ａによる表示パーツＡ〜Ｃ別の使用回数とから、表示パーツＡ〜Ｃの色別の総使用量を取得する。
【０１１３】
これにより、第１実施形態と同様に、表示に係る消費電力を最小にすることができる。これに加え、制御部１３（ＣＰＵ）の負荷を軽減させ、少ない演算で色の割当を最適に行うこともできる。
【０１１４】
（第３実施形態）
第３実施形態について、先の実施形態と異なる点を中心に説明する。
図１１は、本発明の第３実施形態に係る制御部の構成例を示すブロック図である。
【０１１５】
図１１に図示するように、制御部１３ｂは、第１の使用量取得部１３１ａ、計測部１３２、第２の使用量取得部１３３ｂ、割当部１３４ａ、および表示制御部１３５を有する。
【０１１６】
第３実施形態では、記憶部１４に予め格納されているカラーマップＤＡＴ２を使用して、図４に図示する表示パーツＰ１〜Ｐ５の色の割当を行う。このとき、表示パーツＰ１〜Ｐ５の色が直接再割当てされるのではなく、カテゴリ単位で各アイテムの色が再割当される。
【０１１７】
上述のカラーマップＤＡＴ２を図１２に関連づけて説明する。
図１２は、本発明の第３実施形態に係るカラーマップを説明するための概念模式図である。図１２には、図４に図示するソフトキーとしての表示パーツＰ５が拡大されて例示されている。
【０１１８】
図１２に図示するように、ソフトキーとしての表示パーツＰ５は、フレームＦ、フレームＦ内の背景Ｂ、およびフレームＦ内の文字によって構成されている。このような表示パーツの各構成要素をアイテムという。ただし、図４に図示するバッテリ残量や受信レベル等を表す表示パーツＰ２，Ｐ３は、単色の画像として表示された場合、フレームＦや文字を必ずしも必要としない。
【０１１９】
記憶部１４のカラーマップＤＡＴ２は、フレームＦのフレーム色、フレームＦ内の背景色、フレームＦ内の文字色に関するデータで構成されている。更に、フレーム色、背景色および文字色は、標準色と警告色を有する。これらの色は、カテゴリに応じて割当られる。
【０１２０】
たとえば、標準で使用される第１のカテゴリでは、標準背景色には白色が割当られ、標準文字色には黄色が割当られ、標準フレーム色には青色が割当てられている。警告等に使用される第２のカテゴリでは、たとえば、バッテリ残量や受信レベルが規定値以下になった場合に、その旨を警告するための警告色が割当られる。このため、たとえば、警告背景色には赤色が割当られ、警告文字色には紫色が割当てられ、警告フレーム色には黒色が割当られている。
【０１２１】
以下、先の実施形態と異なる制御部１３ｂの構成要素について説明する。第１の使用量取得部１３１ａは、表示パーツＡ〜Ｃのアイテム毎に、色の使用量を取得する。
【０１２２】
第２の使用量取得部１３３ｂは、第１の使用量取得部１３１ａによる表示パーツＡ〜Ｃにおけるアイテム毎の色の使用量と、計測部１３２による表示パーツＡ〜Ｃ別の使用時間とから、表示パーツＡ〜Ｃにおけるアイテム毎の色別の総使用量を取得する。
【０１２３】
第２の使用量取得部１３３ａが、表示パーツＡ〜Ｃにおける各アイテムの標準背景色の総使用量を取得する場合について説明する。第２の使用量取得部１３３ａは、表示パーツＡにおける標準背景色の使用量にその使用時間を乗じた値と、表示パーツＢにおける背景色の使用量にその使用時間を乗じた値と、表示パーツＣにおける背景色の使用量にその使用時間を乗じた値との総和を算出する。第２の使用量取得部１３３ａは、他の色についても同様に、総和を算出する。
【０１２４】
割当部１３４ａは、第２の使用量取得部１３３ａによる各アイテムの色別の総使用量と、記憶部１４から読み出した消費電力データＤＡＴ１およびカラーマップＤＡＴ２に基づいて、表示部１６の消費電力が最小となるように、表示パーツＡ〜Ｃの各アイテムに色を再割当てする。
【０１２５】
このとき、割当部１３４ａは、表示パーツＡ〜Ｃの各アイテムに使用されている色を、総使用量が最も高い色から最も低い色の順にソートする。そして、割当部１３４ａは、ソートされた各色に、消費電力の低い色を再割当する。
【０１２６】
図１１に図示する制御部１３ｂの配色機能に関する動作について説明する。第３実施形態においても、更新処理および割当処理が実行される。ただし、更新処理は、第１実施形態と同様の処理であるため、その説明を割愛し、割当処理についてのみ説明する。
【０１２７】
図１３は、本発明の第３実施形態に係る制御部による割当処理の動作例を示すフローチャートである。
【０１２８】
図１３に図示するように、割当処理が開始すると、計測部１３２は、記憶部１４から表示パーツＡ〜Ｃ毎の使用時間を読み出す（ステップＳＴ２１）。そして、第１の使用量取得部１３１ａは、表示パーツＡ〜Ｃのアイテム毎に、色の使用量を取得する（ステップＳＴ２２ａ）。
【０１２９】
その後、割当部１３４ａは、記憶部１４から消費電力データＤＡＴ１およびカラーマップＤＡＴ２を読み出す（ステップＳＴ２３ａ）。そして、第２の使用量取得部１３３ｂは、第１の使用量取得部１３１ａによる表示パーツＡ〜Ｃにおけるアイテム毎の色の使用量（ステップＳＴ２２ａ参照）と、計測部１３２による表示パーツＡ〜Ｃ別の使用時間（ステップＳＴ２１参照）とから、表示パーツＡ〜Ｃにおけるアイテム毎の色別の総使用量を取得する（ステップＳＴ２４ａ）。
【０１３０】
その後、割当部１３４ａは、第２の使用量取得部１３３ａによる各アイテムの色別の総使用量（ステップＳＴ２４ａ参照）と、記憶部１４から読み出した消費電力データＤＡＴ１およびカラーマップＤＡＴ２（ステップＳＴ２３ａ参照）に基づいて、表示部１６の消費電力が最小となるように、表示パーツＡ〜Ｃの各アイテムに色を再割当てする（ステップＳＴ２５ａ）。
【０１３１】
このとき、割当部１３４ａは、表示パーツＡ〜Ｃの各アイテムに使用されている色を、総使用量が最も高い色から最も低い色の順にソートする。そして、割当部１３４ａは、ソートされた各色に、消費電力の低い色を再割当する。
【０１３２】
以上、詳細に説明したように、第３実施形態においては、カラーマップＤＡＴ２を使用して、各アイテムの色が再割当されることから、表示画面の配色の統一性を保ったまま、表示に係る消費電力を最小にすることができる。これに加え、制御部１３（ＣＰＵ）の負荷を軽減させ、少ない演算で色の割当を最適に行うことができる。
【０１３３】
（第４実施形態）
第４実施形態について説明する。第３実施形態では、計測部１３２ａが表示パーツの使用時間を計測し、第２の使用量取得部１３３ｂが、この使用時間を基にアイテム毎の色の使用量を取得する。これに対し、第４実施形態では、第２実施形態と同様に、計測部１３２ａが表示パーツの使用回数を計測し、第２の使用量取得部１３３ｂが、この使用回数を基にアイテム毎の色の使用量を取得する。
【０１３４】
第４実施形態においても、表示画面の配色の統一性を保ったまま、表示に係る消費電力を最小にすることができる。これに加え、制御部１３（ＣＰＵ）の負荷を軽減させ、少ない演算で色の割当を最適に行うこともできる。
【０１３５】
上述した各実施形態において、バッテリ残量が規定値以下になった場合には、ユーザの指示に拘わらず、表示パーツの色の再割当を行うようにすることができる。このとき、たとえば、表示部１６のバッテリ残量に警告色を割当てるようにしてもよい。これにより、表示部１６の消費電力を最小にしてバッテリ１８の残量低下を抑えることができるだけではなく、ユーザにバッテリ１８の充電を促すことができる。
【０１３６】
上述した各実施形態に係る制御部の構成は、配色機能の処理手順の一例を示すものである。各実施形態では、制御部の各構成要素が持つ機能のすべてがソフトウェア的に処理されるが、その一部の機能あるいは全ての機能をハードウェア的に処理することもできる。
【０１３７】
本発明は、携帯電話機やＰＨＳ等の携帯端末だけではなく、デスクトップ型あるいはノート型のパーソナルコンピュータ、ＰＤＡ（Personal Digital Assistant）、電子辞書等の種々の電子機器に適用することができる。たとえば、本発明をデスクトップ型パーソナルコンピュータに適用した場合には、本発明に係る表示部をＣＲＴ（Cathode Ray Tube）ディスプレイ等で構成することもできる。
【図面の簡単な説明】
【０１３８】
【図１】本発明の第１実施形態に係る携帯端末の構成例を示す概略ブロック図である。
【図２】本発明の第１実施形態に係る表示部を液晶パネルで構成した場合における表示部の構造例を示す模式断面図である。
【図３】本発明の第１実施形態に係る表示部を有機ＥＬパネルで構成した場合における表示部の構造例を示す模式断面図である。
【図４】本発明の第１実施形態に係る表示部の表示画像の例を示す模式図である。
【図５】本発明の第１実施形態に係る制御部の構成例を示すブロック図である。
【図６】本発明の第１実施形態に係る制御部による更新処理の動作例を示すフローチャートである。
【図７】本発明の第１実施形態に係る制御部による割当処理の動作例を示すフローチャートである。
【図８】本発明の第２実施形態に係る制御部の構成例を示すブロック図である。
【図９】本発明の第２実施形態に係る制御部による更新処理の動作例を示すフローチャートである。
【図１０】本発明の第２実施形態に係る制御部による割当処理の動作例を示すフローチャートである。
【図１１】本発明の第３実施形態に係る制御部の構成例を示すブロック図である。
【図１２】本発明の第３実施形態に係るカラーマップを説明するための概念模式図である。
【図１３】本発明の第３実施形態に係る制御部による割当処理の動作例を示すフローチャートである。
【図１４】一般的な携帯端末の構成例を示す概略ブロック図である。
【符号の説明】
【０１３９】
１０…携帯端末、１１…アンテナ、１２…通信部、１３…制御部、１４…記憶部、１５…音声入出力部、１５ａ…スピーカ、１５ｂ…マイクロフォン、１６…表示部、１７…操作部、１８…バッテリ、１９…充電回路、１３１…第１の使用量取得部、１３２…計測部、１３３…第２の使用量取得部、１３４…割当部、１３５…表示制御部、１６１…ガラス基板、１６２…透明電極、１６３…偏光板、１６４…ガラス基板、１６５…カラーフィルタ、１６６…透明電極、１６７…偏光板、１６８…液晶、１６９…バックライト、１６１０…発光層、ＤＡＴ１…消費電力データ、ＤＡＴ２…カラーマップ、Ｐ１〜Ｐ５…表示パーツ
【図１】
2010107784.tif 000003
【図２】
2010107784.tif 000004
【図３】
2010107784.tif 000005
【図４】
2010107784.tif 000006
【図５】
2010107784.tif 000007
【図６】
2010107784.tif 000008
【図７】
2010107784.tif 000009
【図８】
2010107784.tif 000010
【図９】
2010107784.tif 000011
【図１０】
2010107784.tif 000012
【図１１】
2010107784.tif 000013
【図１２】
2010107784.tif 000014
【図１３】
2010107784.tif 000015
【図１４】
2010107784.tif 000016